(57)【要約】【課題】ＤＶＤ若しくはＨＤ−ＤＶＤを再生する場合に、記録されている映像の解像度を判別し、自動的に最適な解像度で復号処理を行う。【解決手段】異なる複数の解像度の映像情報とその管理情報が記録されている記録媒体と、前記記録媒体に含まれる映像情報と管理情報を読み取るディスクドライブ部と、前記ディスクドライブ部で読み取られた映像情報をデコードするデコード部と、前記デコード部でデコードされた映像情報をディジタル／アナログ変換するディジタル／アナログ変換器と、前記ディスクドライブ部で読み取られた管理情報より当該映像情報の解像度を判別する解像度判別部と、前記解像度判別部の判別結果に基づき、デコード部と前記ディジタル／アナログ変換器とで使用するサンプリング周波数を設定するサンプリング周波数変調部とを有する。【選択図】      図４
2007179624.tif 000002
【特許請求の範囲】
【請求項１】
圧縮された映像情報とこの圧縮された圧縮映像情報を復号したときの解像度情報を含む管理情報とが記録されている記録媒体から、前記圧縮映像情報と管理情報を読み取るディスクドライブ部と、
前記ディスクドライブ部で読み取られた圧縮映像情報をデコードするデコーダ部と、
前記デコーダ部でデコードされた映像情報をディジタル／アナログ変換するディジタル／アナログ変換器と、
前記ディスクドライブ部で読み取られた管理情報を参照して、前記デコードされる映像情報の解像度を判別する解像度判別部を含む管理情報判別部と、
前記解像度判別部の判別結果に基づき、デコーダ部と前記ディジタル／アナログ変換器を、前記解像度に適合する処理モードに設定するデコードモード設定部と、
を有することを特徴とする動画像再生装置。
【請求項２】
前記デコードモード設定部は、デコーダ部及びディジタル／アナログ変換器のサンプリング周波数を変更する手段を含むことを特徴とする請求項１記載の動画像再生装置。
【請求項３】
前記管理情報判別部は、管理情報読込部を含むことを特徴とする請求項１記載の動画像再生装置。
【請求項４】
前記管理情報判別部は、オンスクリーンディスプレイ処理部を含み、このオンスクリーンディスプレイ処理部は前記解像度判別部が判別した解像度の表示情報をビデオプロセッサ部へ出力することを特徴とする請求項１記載の動画像再生装置。
【請求項５】
前記管理情報判別部は、オンスクリーンディスプレイ処理部を含み、このオンスクリーンディスプレイ処理部は前記解像度判別部が判別した解像度の表示情報を、装置本体に設けられた表示器にすることを特徴とする請求項１記載の動画像再生装置。
【請求項６】
圧縮された映像情報とこの圧縮された圧縮映像情報を復号したときの解像度情報を含む管理情報とが記録されているから、前記圧縮映像情報と管理情報を読み取るディスクドライブ部と、前記ディスクドライブ部で読み取られた圧縮映像情報をデコードするデコーダ部と、前記デコーダ部でデコードされた映像情報をディジタル／アナログ変換するディジタル／アナログ変換器とを有した動画像再生方法において、
制御部が、前記ディスクドライブ部で読み取られた管理情報を参照して、前記デコードされる映像情報の解像度を判別し、
前記解像度の判別結果に基づき、デコーダ部と前記ディジタル／アナログ変換器を、前記解像度に適合する処理モードに設定する、
ことを特徴とする動画像再生方法。
【請求項７】
前記処理モードの設定は、前記デコーダ部及びディジタル／アナログ変換器のサンプリング周波数を変更することを特徴とする請求項６記載の動画像再生方法。
【請求項８】
前記解像度の判別結果に基づく解像度の表示情報をビデオプロセッサ部へ出力することを特徴とする請求項６記載の動画像再生方法。
【請求項９】
前記解像度の判別結果に基づく解像度の表示情報を、装置本体に設けられた表示器にすることを特徴とする請求項６記載の動画像再生方法。
【請求項１０】
前記解像度の判別結果に基づく解像度の表示情報は、４８０又は７２０又は１０１８０であることを特徴とする請求項６記載の動画像再生方法。
【発明の詳細な説明】
【技術分野】
【０００１】
この発明は動画像再生装置及び動画像再生方法に関し、特にデコード処理について改良したものである。
【背景技術】
【０００２】
近年ＣＤプレーヤにＭＰＥＧ１（Ｍｏｖｉｎｇ Ｐｉｃｔｕｒｅ ｃｏｄｉｎｇ Ｅｘｐｅｒｔｓ Ｇｒｏｕｐ １）復号機能を有するものが増えている。このＣＤプレーヤでは、ビデオＣＤ（ＶＣＤ）に記録されているディジタル圧縮された動画データや音声データを再生することができる。また、最近では、ＭＰＥＧ２（Ｍｏｖｉｎｇ Ｐｉｃｔｕｒｅ ｃｏｄｉｎｇ Ｅｘｐｅｒｔｓ Ｇｒｏｕｐ ２）復号機能を備えたプレーヤが開発され、従来のものより高品質であるＣＶＤ（Ｃｈｉｎａ Ｖｉｄｅｏ ＣＤ）やＳＶＣＤ（Ｓｕｐｅｒ Ｖｉｄｅｏ ＣＤ）を復号再生することができるようになっている。また、ＭＰＥＧ２復号機能を有したＤＶＤ（Ｄｉｇｉｔａｌ  Ｖｅｒｓａｔｉｌｅ  Ｄｉｓｋ）プレーヤが日本国内やアメリカを中心に商品化されている。このＤＶＤプレーヤでは、７２０ドット、４８０ラインの解像度の映像を表示させることができる。
【０００３】
上記のように各種の方式のコンテンツが存在するために、プレーヤとしては、各方式に応じて動作モードを切り替えてデータ再生処理を行う必要がある。このようなプレーヤを実現するものとして、特許文献１に記載された装置がある。
【０００４】
この装置は、光ディスクに記録されているシーケンスヘッダを読み込み、上記光ディスクがＶＣＤ、ＳＶＣＤ、ＤＶＤのいずれかであるかを判別すると共に、記録されている映像がＰＡＬ方式（Ｐｈａｓｅ Ａｌｔｅｒｎａｔｉｏｎ ｂｙ Ｌｉｎｅ方式）か、ＮＴＳＣ方式（Ｎａｔｉｏｎａｌ Ｔｅｌｅｖｉｓｉｏｎ Ｓｔａｎｄａｒｄ Ｃｏｍｍｉｔｔｅｅ方式）であるかを判別する。そして、判別結果に応じて最適な解像度で復号処理を行う。
【特許文献１】特開平２００１−１８６４５４公報
【発明の開示】
【発明が解決しようとする課題】
【０００５】
上記の装置は、１ディスクに記録されているコンテンツが１つの規格であり、記録されているコンテンツ（映像情報）の解像度は一定であることを前提としている。このために、再生装置は、その出力信号の解像度を強制的に一定のものにして出力している。例えば接続された表示装置の解像度に合わせて、初期設定した解像度で出力する。
【０００６】
ところが最近では、High Definition DVD (HD DVD),あるいは High Density DVD (HD DVD)と称される規格がまとまり、新しいタイプのディスク（ＨＤ  ＤＶＤ）が開発されている。このＨＤ ＤＶＤでは、多種類のコンテンツの並存を許している。このために、解像度の異なるコンテンツが交互に再生される場合があるし、また同時にピクチャーインピクチャーの状態で再生されることがある。このような場合、プレーヤが常に一定の解像度で出力するように固定された場合、ユーザは表示装置を見ながら、例えばアップコンバータなどのオンオフを操作して解像度の変更操作を余儀なくされる。しかしこのような操作はユーザにとって煩雑であり、ディスクを交換する毎に解像度を気にしなければならない。
【０００７】
そこで本発明では、ＤＶＤ若しくはＨＤ  ＤＶＤを再生する場合に、記録されている映像の解像度を自動的に認識し、自動的に最適な解像度で復号処理を行うとともに、出力されている解像度の値を表示ことができる動画像再生装置及び動画像再生方法を提供することを目的としている。
【課題を解決するための手段】
【０００８】
上記した目的を達成するために、本発明の一実施形態における動画像再生装置は、圧縮された映像情報とこの圧縮された圧縮映像情報を復号したときの解像度情報を含む管理情報とが記録されている記録媒体から、前記圧縮映像情報と管理情報を読み取るディスクドライブ部１０１と、前記ディスクドライブ部で読み取られた圧縮映像情報をデコードするデコーダ部１１１、１１２、１１３、１１４と、前記デコーダ部でデコードされた映像情報をディジタル／アナログ変換するディジタル／アナログ変換器１３２、１３３と、前記ディスクドライブ部で読み取られた管理情報を参照して、前記デコードされる映像情報の解像度を判別する解像度判別部１２１ｂ２を含む管理情報判別部１２１ｂと、前記解像度判別部の判別結果に基づき、デコーダ部と前記ディジタル／アナログ変換器を、前記解像度に適合する処理モードに設定するデコードモード設定部１２１ｃと、を有する。
【発明の効果】
【０００９】
上記した実施の形態により、ユーザが意図することなく、ＤＶＤ若しくはＨＤ  ＤＶＤに収録されている本来の解像度でコンテンツをデコード出力し、表示装置の能力を十分に発揮させることができ、またユーザも容易に出力信号の解像度を知ることができる。
【発明を実施するための最良の形態】
【００１０】
以下、図面を参照して本発明の一実施形態に係わる動画像再生装置及び動画像再生方法について説明する。図１は、本発明に係わる動画像再生装置１００の構成例を示すブロック図である。
【００１１】
＜構成と機能＞
１は記録媒体（光ディスク）であり、ディスクドライブ部１０１に装填される。ディスクドライブ部１０１の出力部にはデータプロセッサ部１０２が接続されている。データプロセッサ部１０２の出力部にはデマルチプレクサ（ＤＭＵＸ）である分離部１０３が接続されている。
【００１２】
記録媒体１は、映像情報（ビデオデータ、副映像（サブピクチャ）、音声データを総称したビデオオブジェクト）が記録されている光ディスクである。ディスクドライブ部１０１は、記録媒体１に記録されている映像情報、その映像情報に関する管理情報を読み取るものである。データプロセッサ部１０２は、ディスクドライブ部１０１で読み取った情報の復調処理及びエラー訂正処理を行うものである。また、エラー訂正処理を施したデータをデータプロセッサ部１０２内のトラックバッファに格納する。
【００１３】
分離部１０３は、映像情報を、ビデオパック、グラフィックユニットパック、オーディオパック、副映像パックに分離するものである。分離部１０３の出力部には、ビデオデコーダ部１１１、副映像デコーダ１１２、グラフィックデコーダ部１１３、オーディオデコーダ部１１４が接続されている。ビデオデコーダ部１１１、副映像デコーダ１１２、グラフィックデコーダ部１１３の出力端子はビデオプロセッサ部１０４に接続されている。ビデオプロセッサ部１０４の出力端子はＤ／Ａ変換器１３２に接続されている。Ｄ／Ａ変換器１３２の出力端子は、表示装置（図示せず）に接続されている。また、オーディオデコーダ部１１４の出力端子はＤ／Ａ変換器１３３に接続されている。Ｄ／Ａ変換器１３３の出力端子はスピーカ（図示せず）に接続されている。
【００１４】
ビデオデコーダ部１１１はビデオパックをデコードし映像データ得る。副映像デコーダ１１２は副映像パックをデコードし副映像データを得る。グラフィックデコーダ部１１３はグラフィックユニットパックをデコードするものである。オーディオデコーダ部１１４はオーディオパックをデコードするものである。ビデオプロセッサ１０４は、デコードされ映像データ、副映像データなど多重化するものである。Ｄ／Ａ変換器１３２、１３３は、ディジタルである映像情報をアナログ化する。
【００１５】
また、動画像再生装置１００内の各部には、バスを介してマイクロプロセッサユニット（ＭＰＵ）１２１が接続されている。ＭＰＵ１２１にはキー入力部１３１が接続されている。また、ＭＰＵ１２１にはさらに、バスを介してメモリ部１２２、ＲＯＭ部１２３が接続されている。
【００１６】
ＭＰＵ１２１は、装置の各ブロックを統括的に制御している。メモリ部１２２には、映像情報に関する管理情報が格納される。ＲＯＭ部１２３には、動画像再生装置１００を動作させる為のソフトウェア等が格納されている。キー入力部１３１は、外部からの操作入力を制御信号に変換するものである。
【００１７】
＜動作＞
記録媒体１がディスクドライブ部１０１に接続されると、ディスクドライブ部１０１は装着された記録媒体１を回転駆動し、光ピックアップ（図示せず）を用いて記録媒体１に格納されている情報を読み取る。
【００１８】
ディスクドライブ部１０１で読み取られた映像情報は、データプロセッサ部１０２で復調され、続いてエラー訂正処理が施され、データプロセッサ部１０２内のトラックバッファに格納される。このトラックバッファに格納された情報のうち、映像情報に関する管理情報はメモリ部１２２に記録され、再生制御やデータ管理等に利用される。トラックバッファに格納された映像情報は、分離部１０３に供給され、ビデオパック、グラフィックユニットパック、オーディオパック、副映像パックに分離される。
【００１９】
分離されたビデオパック、副映像パック、グラフィックユニットパック、オーディオパックは、ビデオデコーダ部１１１、副映像デコーダ１１２、グラフィックデコーダ部１１３、オーディオデコーダ部１１４にそれぞれ供給され、デコード処理が施される。
【００２０】
デコードされたビデオデータ、副映像データ、グラフィックデータは、ビデオプロセッサ１０４に供給され、多重化処理される。多重化処理された映像情報は、Ｄ／Ａ変換器１３２に供給され、表示部で表示可能な映像アナログ信号に変換される。映像アナログ信号は表示部に供給され、映像を表示させる。
【００２１】
また、デコードされたオーディオパックはＤ／Ａ変換器１３３に供給され、スピーカで再生可能な音声アナログ信号に変換される。音声アナログ信号はスピーカに供給され、音声を再生させる。
【００２２】
なお各デコーダは、１つであるかのように示しているが、実際には、各種規格（ＤＶＤ，ＨＤ  ＤＶＤ）に対応して動作するデコーダ（プレイヤ部）が用意されている。そして再生する規格のディスクに応じて、ビデオ、音声、副映像処理部が動作するようになっている。
【００２３】
図２は、記録媒体１に格納されているデータ構造の一例を説明するための図である。光ディスクである記録媒体１には、少なくとも１セットのリードイン領域１１、リードアウト領域１４が設定されている。また、データを格納する為のデータ領域１３と、データ領域１３に格納されているデータを再生するのに必要な管理情報１２も記録されている。ディスクの内側から、リードイン領域１１、管理情報１２、データ領域１３、リードアウト領域１４の順に配置されている。また、データ領域１３のデータが複数のタイトルに分かれていた場合、タイトル毎に管理情報１２が配置されていることもある。
【００２４】
即ち、リードアウト１１で記録媒体１の読み取りを開始する。次に、管理情報１２を参照し所望のデータの格納位置を確認する。そして、データ領域１３内の所望のデータにアクセスをする。
【００２５】
図３は、図２に示した管理情報１２の構成の一例を示す図である。ＶＭＧＭ  Ｖ  ＡＴＲ（ａ）は、記録媒体１全体の管理情報うちビデオ属性を示す情報である。また、ＶＴＳ  Ｖ  ＡＴＲ（ｂ）は、タイトル毎の管理情報のうちビデオ属性を示す情報である。
【００２６】
Video Compression modeは、データの圧縮方式（ＭＰＥＧ２など）を示す情報である。TV systemはテレビジョン方式を示す情報でありＮＲＴＳＣ，ＰＡＬ，ＳＥＣＡＭ方式などを示している。Aspect ratioは、表示画角（１６：９，４：４など）を示す情報である。CC1、CC2はクローズドキャプションの情報である。Source picture Progressive modeは、インターレース方式とノンインターレース方式の識別を示す情報である。Display modeは、パンスキャン表示や、レターボックス表示が可能かどうかを示す情報である。Source picture letterboxedは、出力ビデオがレターボックスであるかどうかを示す情報である。Reservedは、予備の空き容量である。Source picture resolutionは解像度を示すものである。Film camera modeはフイルムモードかを示す情報である。
【００２７】
図４は、図１に示したＭＰＵ１２１に含まれる機能部の一例をブロック化して示す図である。ＭＰＵ１２１はメディア判別部１２１ａを有する。メディア判別部１２１ａは、ディスクドライブ部１０１に装着された光ディスクの種類を判別する。
【００２８】
光ディスクの種類を判別する方法としては、以下の方法がある。即ち、光ピックアップ装置で第１の光源を使用し、波長６５０ｎｍ、ＮＡ＝０．６５が設定されたときは以下のようになる。フォーカスエラー信号は、０のときは、ジャストフォーカスであり、対物レンズが前後移動（ディスクの厚み方向へ移動制御）されると、Ｓ字カーブの特性を示す。このとき最大値ＭＡＸは、ディスクがＤＶＤ，あるいはＨＤ  ＤＶＤのときは閾値Ｔｈ１を超える。ディスクがＣＤのときは、閾値Ｔｈ１を超えない。
【００２９】
また、光ピックアップ装置で、第２の光源を使用し、波長４０５ｎｍ、ＮＡ＝０．６５が設定されたときは以下のようになる。Ｓ字カーブの最大値ＭＡＸは、ディスクがＤＶＤ，あるいはＨＤ  ＤＶＤのときは閾値Ｔｈ２を超える。ディスクがＣＤのときは、閾値Ｔｈ２を超えない。
【００３０】
これにより、ＤＶＤもしくはＨＤ  ＤＶＤであるのか、ＣＤあるいは他のディスクであるのかを判別できる。ディスクがＤＶＤもしくはＨＤ  ＤＶＤであることが判明したときは、次にトラッキングエラー信号を判別することにより、ＤＶＤとＨＤ  ＤＶＤを判別できる。例えば、第１の光源（波長６５０ｎｍ）を使用し、ＮＡ＝０．６５が使用されているときは、ディスクがＤＶＤのときにトラッキングエラー信号が収束する、第２の光源（波長４０５ｎｍ）を使用し、ＮＡ＝０．６５が使用されているときは、ディスクがＨＤ  ＤＶＤのときにトラッキングエラー信号が収束する。この現象を利用することでＤＶＤ、ＨＤ  ＤＶＤの判別を行うことができる。
【００３１】
次に、上記のＭＰＵ１２１は管理情報判別部１２１ｂを有する。さらに管理情報判別部１２１ｂは管理情報読込部１２１ｂ１と解像度判別部１２１ｂ２を有する。管理情報読込部１２１ｂ１は、ディスクドライブ部１０１より管理情報１２を取得するものである。また、メモリアクセス部１２１ｅを介してメモリ部１２２へ管理情報１２の格納及び読込を行う。メモリアクセス部１２１ｅにはさらにＲＯＭ部１２３も接続されており、格納されている情報を読み取ることができる。また、解像度判別部１２１ｂ２は、装着された記録媒体１に含まれる映像情報（デコード処理される映像情報）の解像度を管理情報１２より判別するものである。
【００３２】
また、ＭＰＵ１２１はデコードモード設定部１２１ｃを有する。このデコードモード設定部１２１ｃは、解像度判別部１２１ｂ２の判別結果に応じて、各デコーダ、各Ｄ／Ａ変換器の処理モードを設定する。例えばサンプリング周波数を設定するものである。
【００３３】
また、ＭＰＵ１２１はＯＳＤ（オンスクリーンディスプレイ）処理部１２１ｄを有する。ＯＳＤ処理部１２１ｄは管理情報判別部１２１ｂの判別結果や、その他の処理結果を装置内の例えば文字コードを使用し表示させるものである。表示箇所は、装置に接続される表示装置であってもよいし、装置本体に設けられている表示部であってもよい。
【００３４】
またさらに、ＭＰＵ１２１はキー入力判別部１２１ｆを有する。キー入力判別部１２１ｆは、キー入力部１３１に入力された操作を各部に反映させるように、各部を制御するものである。
【００３５】
図５は、図４に示した管理情報判別部１２１ｂによる解像度判別処理の一例を示すフローチャートである。記録媒体１が装着された場合、若しくは記録媒体１が装着されている状態で本装置の電源がＯＮされた場合（ステップＳＡ１）、メディア判別部１２１ａにおいて、装着された記録媒体１の種類の判別が行なわれる（ステップＳＡ２）。装着された記録媒体１がＤＶＤであった場合、管理情報１２を読み込む（ステップＳＡ３）。その後、解像度は４８０ドットであるということを、デコードモード設定部１２１ｃに設定する（ステップＳＡ４）。
【００３６】
ステップＳＡ２において、装着された記録媒体１がＤＶＤでなくＨＤ  ＤＶＤの場合、光ピックアップをＨＤ−ＤＶＤ用のものに切り替える（ステップＳＡ５）。管理情報１２を読み込み（ステップＳＡ６）、解像度判別部１２１ｂ２によって読み込んだ管理情報１２より、当該データの解像度が４８０ドットであるかどうか判別する（ステップＳＡ７）。解像度が４８０ドットであった場合、ステップＳＡ４に移行し、解像度は４８０ドットであるということを、デコードモード設定部１２１ｃに設定する。
【００３７】
しかし、ステップＳＡ７において、当該データの解像度が４８０ドットでないと判断された場合、当該データの解像度が７２０ドットであるかどうか判別する（ステップＳＡ８）。解像度が７２０ドットであった場合、当該データの解像度が７２０ドットであるということを、デコードモード設定部１２１ｃに設定する（ステップＳＡ９）。
【００３８】
ステップＳＡ８において、当該データの解像度が７２０ドットでないと判断された場合、当該データの解像度が１０８０ドットであるかどうか判別する（ステップＳＡ１０）。解像度が１０８０ドットであった場合、当該データの解像度が１０８０ドットであるということを、デコードモード設定部１２１ｃに設定する（ステップＳＡ１１）。
【００３９】
ステップＳＡ１０において、当該データの解像度が１０８０ドットでないと判断された場合、管理情報１２のSource picture resolutionの値をそのままデコードモード設定部１２１ｃに設定する（ステップＳＡ１２）。
【００４０】
したがって、上記の装置であると、ディスクに記録されている解像度のそのままに応じた形で、デコードモードを設定する。
【００４１】
上記の説明では、管理情報判別部１２１ｂが、オンスクリーンディスプレイ処理部１２１ｄを含み、このオンスクリーンディスプレイ処理部１２１ｄは、解像度判別部１２１ｂ２が判別した解像度の表示情報をビデオプロセッサ部１０４へ出力するとして説明した。ビデオプロセッサ部１０４に解像度の表示情報を出力した場合、映像とともにモニタとしての表示装置に表示される。
【００４２】
しかしこれに限らず、オンスクリーンディスプレイ処理部１２１ｄは解像度判別部１２１ｂ２が判別した解像度の表示情報を、装置本体に設けられた表示器にしてもよい。
【００４３】
図６には、情報再生装置５００の前面図を示している。５０１は電源オンオフボタン、５０２は、表示窓であり、さきの表示部１３４に対応する。５０３は、リモコン受信部であり、５０５は扉開閉ボタンである。５０６は再生操作ボタン、５０７は停止操作ボタン、５０８はポーズ操作ボタン、５０９はスキップ操作ボタンである。また５１０は、ディスクトレイであり、扉開閉ボタン５０５を操作すると、ディスクトレイが突出あるいは後退して、ディスクの交換などを行うことができる。
【００４４】
表示窓５０２では、セグメント表示部５３１が設けられており、ディスクの総再生時間、経過時間、残量、タイトルなどを表示することができる。また、状態表示部５３２では、再生中か、停止中か、ポーズ中かを表示することができる。さらにディスク識別表示部５３３が設けられ、ここに装填されているディスクが何であるか（ＤＶＤ、ＨＤ  ＤＶＤなど）を表示することができる。またタイトル表示部５３４が設けられ、ここには、タイトル番号を表示することができる。また５３５では、現在出力されている映像がどのような解像度であるかを表示することができる。判別された解像度に応じて、４８０ｉｐ，又は７２０ｐ、又は１０８０ｉが点灯状態となる。
【００４５】
図７は、図１に示したビデオ系デコーダ及びビデオプロセッサ部１０４の構成の一例を示すブロック図である。ビデオデコーダ部１１１には、分離部１０３で分離されたビデオパックが供給される。ビデオデコーダ部１１１はビデオ入力バッファ１１１ａ、ビデオデコーダ１１１ｂ、ビデオデコーダバッファ１１１ｃから構成されている。ビデオデコーダ１１１ｂでデコードされたビデオデータは、後段のビデオプロセッサ１０４のミキサー１０４ａへ送られる。
【００４６】
副映像デコーダ部１１２には、分離部１０３で分離された副映像パックが供給される。副映像デコーダ部１１２は副映像入力バッファ１１２ａ、副映像デコーダ１１２ｂ、副映像デコーダバッファ１１２ｃから構成されている。副映像デコーダ１１２ｂでデコードされた副映像データは、後段のビデオプロセッサ１０４のミキサー１０４ａへ送られる。
【００４７】
グラフィックデコーダ部１１３には、分離部１０３で分離されたグラフィックユニットパックが供給される。グラフィックデコーダ部１１３は、供給されたグラフィックユニットパックをバファリングし、少なくとも１つのグラフィックユニットを格納可能なグラフィックユニット入力バッファ１１３ａ、入力バッファ１１３ａに格納されたグラフィックユニットのハイライト情報及びマスクデータをデコードするハイライトデコーダ１１３ｂ及びそのハイライトバッファ１１３ｃ、入力バッファ１１３ａに格納されたグラフィックユニットのグラフィックデータをデコードするグラフィックデコーダ１１３ｅ及びそのグラフィックバッファ１１３ｆから構成されている。さらにハイライトデコーダ１１３ｂでデコードされたボタンパターンは、後段のミキサー１１３ｄにより、グラフィックデコーダ１１３ｅでデコードされたグラフィックデータに混合され、パレット選択１１３ｇ、ハイライト処理１１３ｈが施された後、ビデオプロセッサ部１０のミキサー１０４ａ４へ送られる。
【００４８】
ここで、ビデオデコーダ部１１１、副映像デコーダ部１１２、グラフィックデコーダ部１１３の制御端子にはＭＰＵ１２１のデコードモード設定部１２１ｃが接続されている。例えば、デコード処理の際のサンプリング周波数は、ＭＰＵ１２１のデコードモード設定部１２１ｃによって設定される。サンプリング周波数を、４８０ドットでロウ（Ｌｏｗ）、７２０ドットでミドル（Ｍｉｄｄｌｅ）、１０８０ドットでハイ（Ｈｉｇｈ）と設定することにより、入力された映像をそのままの解像度でデコードすることができる。
【００４９】
また、ビデオプロセッサ部１０４のミキサー１０４ａには、ＯＳＤ処理部１２１ｄより各種の処理結果等が、内蔵の文字コードによってメッセージデータとなり供給される。ミキサー１０４ａは、供給されたビデオデータ、副映像データ、グラフィックデータ、メッセージデータを重畳する。さらに、表示部がスタンダードテレビ（ＳＤＴＶ）の場合は、重畳された映像データはダウンコンバータ１０４ｂによって表示部の解像度にダウンコンバートされＤ／Ａ変換器１３２に出力される。
【００５０】
Ｄ／Ａ変換器１３２は、デコードモード設定部１２１ｃによって設定されたサンプリング周波数に基づいてディジタル／アナログ変換を行い、映像アナログ信号を表示部へ出力する。
【００５１】
図８は、図１に示したオーディオ系デコーダの構成の一例を示すブロック図である。オーディオデコーダ部１１４には、分離部１０３で分離されたオーディオパックが供給される。オーディオデコーダ部１１４はオーディオ入力バッファ１１４ａ、オーディオデコーダ１１４ｂ、オーディオデコーダバッファ１１４ｃから構成されている。オーディオデコーダ１１４ｂでデコードされたオーディオデータは、後段のＤ／Ａ変換器１３３に出力される。
【００５２】
ここでも、オーディオデコーダ部１１４の制御端子にはＭＰＵ１２１のデコードモード設定部１２１ｃが接続されている。即ち、デコード処理の際のサンプリング周波数は、ＭＰＵ１２１のデコードモード設定部１２１ｃによって設定される。例えばサンプリング周波数を、４８０ドットでロウ（Ｌｏｗ）、７２０ドットでミドル（Ｍｉｄｄｌｅ）、１０８０ドットでハイ（Ｈｉｇｈ）と設定している。
【００５３】
Ｄ／Ａ変換器１３３は、デコードモード設定部１２１ｃによって設定されたサンプリング周波数に基づいてディジタル／アナログ変換を行い、音声アナログ信号をスピーカへ出力する。
【００５４】
上記した実施の形態により、記録媒体に含まれる映像情報のデコードを行う場合、記録媒体に含まれる映像情報の解像度を管理情報より判別する。そして、その管理情報に記録されている解像度に対応するサンプリング周波数でデコードを実行する。この為に、ユーザが解像度を設定することなく、所定の最適な解像度で映像を出力することができる。
【００５５】
本発明は上記した実施の形態に限定されるものではない。本発明では光ピックアップを有する動画像再生装置としたが、映像を表示する目的の装置であれば容易に本発明を実施することができる。
【００５６】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００５７】
【図１】図１は、本発明に係わる動画像再生装置の構成例を示すブロック図である。
【図２】図２は、記録媒体に格納されているデータ構造の一例を説明するための図である。
【図３】図３は、図２に示した管理情報の構成の一例を示す図である。
【図４】図４は、図１に示した動画像再生装置のＭＰＵに含まれる機能の一例をブロック化して示す図である。
【図５】図５は、図４に示した管理情報判別部において行われる、解像度判別処理の一例を示すフローチャートである。
【図６】図６は再生されているディスクの解像度の状況を表示する表示形態の例を示す説明図である。
【図７】図７は、図１に示したビデオ系デコーダ及びビデオプロセッサ部の構成の一例を示すブロック図である。
【図８】図７は、図１に示したオーディオデコーダ部の構成の一例を示すブロック図である。
【符号の説明】
【００５８】
１…記録媒体、１１…リードイン領域、１２…管理情報、１３…データ領域、１４…リードアウト領域、１００…動画像再生装置、１０１…ディスクドライブ部、１０２…データプロセッサ部、１０３…分離部、１０４…ビデオプロセッサ部、１１１…ビデオデコーダ部、１１２…副映像デコーダ部、１１３…グラフィックデコーダ部、１１４…オーディオデコーダ部、１２１…ＭＰＵ、１２２…メモリ部、１２３…ＲＯＭ部、１３１…キー入力部、１３２…Ｄ／Ａ変換器、１３３…Ｄ／Ａ変換器。
【図１】
2007179624.tif 000003
【図２】
2007179624.tif 000004
【図３】
2007179624.tif 000005
【図４】
2007179624.tif 000006
【図５】
2007179624.tif 000007
【図６】
2007179624.tif 000008
【図７】
2007179624.tif 000009
【図８】
2007179624.tif 000010